Podtech/llm-jp-corpus-v4-ja_patent huggingface dataset:
(57)【要約】      （修正有）【課題】  いかなるタイプの丈長ズボンでも容易且つ快適にズボン後部裾の接地を防止する。又履物を選ばないだけでなく履物を脱いだ場合でも有効で、しかも履物を着脱する際にも手間がかからず外観上見苦しくないズボン後部裾接地防止具の提供。【解決手段】足首付近に装着する環状の物１に接続されたクリップ２でズボン後部裾を挟むだけで、従来当然とされてきたズボン後部裾の接地や引きずり及び踏みつけを回避、汚れや破損を防止する。又足首付近に直接装着する為ズボンと履物とを限定しないのでファッションの自由度が向上する。更に本発明は全てがズボン内に収まる為見た目にも自然であり、履物の着脱時においても一切の面倒はなく快適である。【選択図】  図１
2006219784.tif 000002
【特許請求の範囲】
【請求項１】
環状の物に、挟むクリップを取り付けたことを特長とする装具である。
【請求項２】
請求項１記載の装具は、サイズ調節機能及び伸縮性を持つことを特長とし、挟むクリップはその効果を考慮し１個から２個とする。
【請求項３】
請求項２記載の装具を足首付近に装着し、挟むクリップでズボン後部裾を保持し接地を防止することを特長とする。
【発明の詳細な説明】
【技術分野】
【０００１】
本発明はズボン後部裾が地面に接地するのを防止する装具に関するものである。
【背景技術】
【０００２】
従来、裾丈の長いズボンをスニーカーや底の薄い履物等で着用する場合は、仕方なくズボン後部裾が地面に接地しているか、それを防ぐために裾を折り上げたり靴の中に入れたり、裾を紐で縛る等の方法が用いられているが、どれも不具合があり不格好である。
【０００３】
それ以外ではズボンに直接加工することで問題を解決していた為、手間を要し、又ズボンも限定される。
【特許文献１】特許公開平８−１００３１５
【発明の開示】
【発明が解決しようとする課題】
【０００４】
最近流行の丈の長い太いズボン着用時の裾は、履物に係わらず常に接地し、引きずりや踏みつけ等される事が多く、著しく汚れ破損しているのが現状であり、又雨天時やトイレでは著しい汚れや水濡れの原因となり極めて不快である。
【０００５】
女性のハイヒール等を着用時のズボン裾丈はファッション性を重視しかなり長めが好まれる為、同ズボンでスニーカーや底の薄い履物等を着用した場合には裾丈が長過ぎて地面への接地、引きずり及び踏みつけが避け難く極めて不便であり、結局ハイヒール等の専用ズボンとしてのみの使用に限定される事が多い。
【０００６】
本発明はこのような点を改善すべく成されたものであり、いかなる丈長ズボンにおいても安価で快適にズボン後部裾の接地を防止することにある。又履物を選ばないだけでなく、履物を脱いだ場合においてもその効果を発揮し、外観上も見苦しくないことを課題とする。
【課題を解決するための手段】
【０００７】
この課題を解決するための請求項１の発明は、環状の物に挟むクリップを取り付けたことを特長とする装具であり、挟むクリップが後方となるように足首付近に装着し、ズボン後部裾を挟むクリップで保持することにより接地を防止する。
【０００８】
この請求項１の装具に、サイズ調節機能及び伸縮性を持たせることにより足首付近に固定されるので、ズレを防ぎ好みの高さに装着できる為ズボン後部裾の高さも自由に調節でき、いかなる丈長ズボンにおいても有効である。通常の使用においては挟むクリップは１個で充分有効であるが、ズボンの種類や使用状況によって挟むクリップ２個を使用することにより更に効果を増す。
【０００９】
この本発明の装具は、ズボン内部で足首付近に直接装着し、ズボン後部裾を保持する為履物の種類や有無を問わず有効であり、又ズボンや履物に一切の加工を必要としない為、外観上も自然の風合いを損なうことなく、安価に課題を解決できる。
【発明の効果】
【００１０】
本発明により、従来当然とされてきたズボン後部裾の接地による汚れや破損を回避でき、ズボンと履物とを限定しない為ファッションの自由度が向上する。更に本発明は履物を脱いだ室内でも有効であり、履物の着脱時においても一切の面倒はなく快適である。
【発明を実施するための最良の形態】
【００１１】
以下、本発明の実施の形態を図面に基づき詳細に説明する。
【００１２】
図１は本発明の装具単体（挟むクリップ１個仕様）片足分での外観の形態に係る。尚左右によっての仕様変更はなく同一とする。
【００１３】
図２は本発明の装具単体（挟むクリップ２個仕様）片足分での外観の形態に係る。尚左右によっての仕様変更はなく同一とする。
【００１４】
図１−１、図２−１に示す部分が足首付近に装着する伸縮性を持つ環状の物である。
【００１５】
図１−２、図２−２に示す部分が挟むクリップとなり、この挟むクリップでズボン後部裾を保持する。尚この挟むクリップは挟んだ裾が容易に外れないよう滑り止めを施すものとする。
【００１６】
図１−３、図２−３に示す部分がサイズ調節部分となり、個々の足首付近のサイズに対応できるものとする。
【００１７】
図３は本発明（挟むクリップ１個仕様）の効果を示す為透視図とする。図３−５は裾丈の長いズボンの後部裾を図１−２の挟むクリップで保持し、内側に巻き上げ接地を防止している状態を示す。  
【００１８】
図４は図１の本発明（挟むクリップ１個仕様）を装着した状態の足を、ズボン非着用で後方から見たものを示す。
【００１９】
図５は図２の本発明（挟むクリップ２個仕様）を装着した状態の足を、ズボン非着用で後方から見たものを示す。通常は挟むクリップ１個で充分な効果を発揮するが、ズボンの素材や太さによっては挟むクリップ２個を使用することにより更に効果を増す。
【産業上の利用可能性】
【００２０】
本発明のズボン後部裾接地防止装具は、低コストでの生産が可能である為産業上の利用可能性を有する。
【図面の簡単な説明】
【００２１】
【図１】斜め上方から見た本発明の装具単体（挟むクリップ１個仕様）を示す図である。
【図２】斜め上方から見た本発明の装具単体（挟むクリップ２個仕様）を示す図である。
【図３】本発明（挟むクリップ１個仕様）装着時の効果を示すものとする。
【図４】本発明（挟むクリップ１個仕様）の装着方法を示すものとする。
【図５】本発明（挟むクリップ２個仕様）の装着方法を示すものとする。
【符号の説明】
【００２２】
１    足首付近に装着する伸縮性を持つ環状の物
２    滑り止めを施した挟むクリップ
３    サイズ調節部
４    地面等
５    内側に巻き上げられたズボン後部裾    
【図１】
2006219784.tif 000003
【図２】
2006219784.tif 000004
【図３】
2006219784.tif 000005
【図４】
2006219784.tif 000006
【図５】
2006219784.tif 000007
(57)【要約】【課題】  安定した状態で自動車のタイヤ交換をする時に作業性  安全性に優れ簡便で  且つ安値な自動車用簡単安全ジャッキ格別な労力を要しないでタイヤの取り外しが出来るジャッキを提供する。【解決手段】本発明のジャッキは  Ａ−Ｂ−Ｃ  各部材で形成されたジャッキの受け座と車の車軸に固定する事が良いと想い至った。上記の目的を達成する為にこの発明になった。（１）Ａ−１四面ア−ルのついた台座に  Ａ−７を持ち  Ａ−７は接続メスＡ−２ジャッキスタンドセット  Ａ−７とＢ−３接続オスと構成  Ａ−８とＢ−４固定  Ｃ−４連結オスとＡ−６連結メス  連結する事により形成される事を特徴とする。【選択図】図３
2006219293.tif 000002
【特許請求の範囲】
【請求項１】
台座に接続メスを持つ  Ａ−７連結メスをジャッキと構成さ
2006219293.tif 000003
調整つきタイヤストッパ−を持ちＬ型調整棒接続部オスを持ちクランクＣ−１クランクア−ム  Ｃ−２ギア−ボックス  ９０度に曲がるように連結軸メスＣ−４  Ａ−６連結軸オスと接続  これにより形成されこれを特徴とする自動車用簡単安全ジャッキ。
【請求項２】
台座とジャッキで構成され  Ｌ型調整棒のＢ−３とＡ−７で構成された、（但し図２−Ａにおいてジャッキ部は本図以外のジャッキその他使用も可能。）
台座Ａ−６とＣ−４で形成され車の下の車軸受座と車軸は調整棒のタイヤストッパ−Ｂ−２で決まる  安全なのが特徴とする  請求項１に記載の自動車用簡単安全ジャッキ
【発明の詳細な説明】
【発明の詳細な説明】
【発明に属する技術分野】
【０００１】この発明は自動車用のタイヤ交換の際に使用する。自動車用安全ジャッキに関するもので更に詳しくは車体の低い車軸に確実に合わせやすくする自動車に関する自動車用簡単安全ジャッキである。
【背景技術】
【０００２】自動車用ジャッキアップ，今使用されているジャッキはボデ−の下部に固定位置があり  ジャッキを固定位置に付けるには膝をついたり、手を付いたり、覗き込んだり、体をよじったりする。暗闇では作業をしにくい。車体を上げるには１８センチ以上上げないとタイヤが浮かない。又、車体が不安定になり危険性が高い、車体を高く上げるのでジャッキが外れそうな気がする。ボデ−の下にジャッキの位置があり上げるとスプリングが伸びてからタイヤが浮く，外す時には車体が不安定になり危険性がある。【０００３】特に近年はボンゴ車等の普及が目覚しく増えて車等が重く車のデザインによってはボデ−の下の固定位置が見つけにくい。ボデ−の下なので高く上げると重心が変わるので不安定である。道路でのタイヤ交換は困難である。
【発明が解決しようとする課題】
【０００４】発明者が上記の目的に達成鋭意研究の結果しかしなかなかこのような従来のジヤッキは１８センチ以上上がるためその為大きく車体が傾き不安定になり大変な作業となる。この発明の目的前期のような課題に鑑みジヤッキに車軸受け座が付いていて車の下の車軸に合わせる為  作業性  安全性に優れ簡単に且つクランクア−ムを少し廻す事により５センチほどの昇降で済み軽量小型ジャッキ自動車用簡単安全ジャッキを提供する。
【課題を解決しようとする手段】
【０００５】本発明のジャッキは  Ａ−Ｂ−Ｃ  で各部材で形成されたジャッキの受け座と車の車軸に固定する事が良いと想いに至った。
（１）Ａ−１四面ア−ルのついた台座にＡ−７  接続メスを持ち  Ａ−２  ジヤッキスタンドセット  Ａ−７  とＢ−３接続オス，Ａ−８とＢ−４を固定螺子で締める．Ｃ−４連結オス  Ａ−６連結メス連結する事により形成される事を特徴とする。
【作用】
【０００６】自動車用簡単安全ジヤッキ
車体の左側の作業をするときはタイヤ後ろ側より作業する。
車体の右側の作業をする時はタイヤの前側より作業をする．Ｌ型調整棒を動かすと簡単に車体の低い車軸と受け座に合わせ  クランクア−ムを廻すと５センチほどでタイヤが浮くため車体の傾きが少ないので道路でも苦手な人でもタイヤ交換が楽にできる。
【発明を実施するための最良の形態】
【０００７】この発明はタイヤがパンクした時  好ましい架設に付いて図面を参照しながら詳細に説明します。これに限定されたものでなく特許請求の範囲に記載された範囲内で実施の対応が可能で  本発明の自動車用簡単安全ジャッキはＡ−７構成  Ｂ−３構成Ｃ−４構成Ａ−８とＢ−４を固定螺子で締める。
形成された自動車用簡単安全ジャッキを入れる時に車軸と受け座の隙間があり架設しやすく設計する。上記の通りアルミ製などの金属製  又は鉄製で造り、更に取り扱いが容易である。調整棒を動かすと低い前車軸や、低い後ろ車軸に架設、早く安全に架設ができる。
【発明の効果】
【０００８】上記のように本発明の自動車用簡単安全ジャッキは台座があるので楽な姿勢で平坦な上面位置に調整棒を動かし、タイヤストッパ−とタイヤで合わせられる。低い車軸と車軸受け座に合うようになり  クランクア−ムにギア−ボックスがついているので楽に少し廻し、上げるとタイヤが浮き、取り外しが出来る。
非力で老齢な人や、女性でも極めて使用しやすくジャッキを下げるときも安全に楽に出来る。更にこの自動車用簡単安全ジャッキ  一体的簡単に形成されている。
材料も少なくて安値でありその製作安値に提供する事が出来る。その上、小型で軽量、更に３分割なので持ち運びに便利でありトランクル−ムに収納する時に簡単手軽に出来る。常備して置く急なトラブルに便利である。
【図面の簡単な説明】
【０００９】
【図１】この発明の自動車用簡単安全ジャッキ正面図
【図２】自動車用簡単安全ジャッキのＡ，Ｂ，Ｃ  構成図
【図３】形成図  正面図  架設図
【図４】車軸に架設した状態図
【符号の説明】
【００１０】Ａ−１      台座にア−ルを付ける
Ａ−２      スタンド
Ａ−３      ジャツキア−ム
Ａ−４      昇降アジャスト螺子
Ａ−５      車軸受け座
Ａ−６      連結軸メス
Ａ−７      接続軸メス
Ａ−８      固定螺子
Ｂ−１      Ｌ型調整棒
Ｂ−２      タイヤストッパ−
Ｂ−３      接続部オス
Ｂ−４      固定螺子
Ｃ−１      クランクア−ム
Ｃ−２      ジヤッキボックス
Ｃ−３      連結軸
Ｃ−４      連結軸オス
形成図正面又は架設図
Ｄ−１      スプリング
Ｄ−２      タイヤ
【図１】
2006219293.tif 000004
【図２】
2006219293.tif 000005
【図３】
2006219293.tif 000006
【図４】
2006219293.tif 000007
(57)【要約】【課題】  フォークリフトで物品を吊る場合に滑ることなく吊れる吊り具。【解決手段】  金属製のフォークと金属製の吊り具ではあるが、吊り具の噛み込み作用が働いて滑らず安全に吊ることが出来る。【選択図】  図１
2006219292.tif 000002
【特許請求の範囲】
【請求項１】
吊り具の中枠の縦材に角度をつける。
【請求項２】
横材は３本とし、１番上の横棒「４Ａ」で外枠の荷重を受ける。
【請求項３】
中枠と外枠は横棒「４Ａ」を軸に３６０度回転できる。
【発明の詳細な説明】
【技術分野】
【０００１】  本発明は、フォークリフトのフォークに差して物品を吊り運搬するものである。
【発明の開示】
【発明が解決しようとする課題】
【０００２】  従来からワイヤーやロープを掛けて吊っているが滑る問題点がある。
【課題を解決するための手段】
【０００３】  吊り荷の荷重がテコの原理でフォークを銜える作用に働き滑りを防止する。
【発明の効果】
【０００４】  フォークリフトで物品を吊って移動しても、滑って落下することが無く安全である。
【発明を実施するための最良の形態】
【０００５】  中枠縦材の角度が小さ過ぎても、大き過ぎても具合が悪い。約１５度位が最良と思われます。
【図面の簡単な説明】
【０００６】
【図１】  フォークに吊り具を装着した状態の斜視図である。
【図２】  吊り具の正面図である。
【図３】  吊り具の側面図である。
【符号の説明】
【０００７】  １      フォークリフトのフォーク
２      フック
３      吊り具の中枠縦材
４      横棒  「４Ａ」  「４Ｂ」  「４Ｃ」
５      吊り具の外枠
【図１】
2006219292.tif 000003
【図２】
2006219292.tif 000004
【図３】
2006219292.tif 000005
(57)【要約】      （修正有）【課題】案内部と心出し振れ止め用ガイドとの間隔を案内部の各面毎に独立して調節することができるエレベータのガイド装置の提供。【解決手段】凹形状の心出し兼振れ止め用ガイドに代えて、ガイドレール１０の案内部１０ａの各面に対向するようにストッパ３１，３１ａを設け、このストッパ３１，３１ａの位置をそれぞれ独立に調節可能とすることにより、案内部１０ａの各面との間隔α１，α２を個別に調節できるようにした。【選択図】図１
2006219278.tif 000002
【特許請求の範囲】
【請求項１】
ガイドレールと、このガイドレールに沿って昇降体を案内するローラガイドと、前記昇降体に設けられ前記昇降体と前記ガイドレールとの間隔を規制するストッパとを備えたものにおいて、
前記ストッパは、前記ガイドレールの案内部に対向するように前記案内部の各面毎に設けられているとともに、前記ガイドレールとの間隔が調節可能な構成であることを特徴とするエレベータのガイド装置。
【請求項２】
前記ストッパは、前記ガイドレールの案内部の左右の面にそれぞれ対向するように設けられていることを特徴とする請求項１に記載のエレベータのガイド装置。
【請求項３】
前記ストッパの前記ガイドレールとの対向部には着脱可能なギブを有することを特徴とする請求項1又は２に記載のエレベータのガイド装置。
【発明の詳細な説明】
【技術分野】
【０００１】
本発明は、ガイドレールに沿って昇降するエレベータかご等の昇降体をガイドする装置に関するものである。
【背景技術】
【０００２】
図３，図４は、従来のエレベータのローラガイドを示す図であり、図３は平面図、図４は正面図であり、エレベータ上部のローラガイドを示している。
図において、１０は昇降路に設置されているガイドレール、１１はエレベータかごの上枠であり、この上枠１１にローラガイド台２が取り付けられている。１ａ，１ｂはガイドレール１０の案内部１０ａに三方から押し付けられて転動するローラで、レバー３を介してローラガイド台２に枢着されている。４はローラガイド本体２０に立設されレバー３を貫通してロッド、５はバネ、６はバネ座、７はナット、８はレバー３を貫通してローラガイド本体２０に立設されたボルト９に設けられたストッパである。
２１は、ボルト２２によってローラガイド本体２０の上部に着脱自在に取り付けられた心出し兼振れ止め用ガイドである。この心出し兼振れ止め用ガイド２１は凹形状をしており、その内辺がガイドレール１０の案内部１０ａからそれぞれ、α１，α２，Ｂの間隔になるように、取り付けられる。
【特許文献１】特開昭５６−１４９９６５号公報
【発明の開示】
【発明が解決しようとする課題】
【０００３】
前記従来装置では、心出し兼振れ止め用ガイド２１は凹形状であるので、案内部１０ａの厚みＴの異なるガイドレール１０の場合には、サイズの異なる心出し兼振れ止め用ガイド２１を使用しなければならない。また、各間隔α１，α２，Ｂを独立に調節することができなかった。更に、心出し兼振れ止め用ガイド２１は案内部１０ａとの間隔を一定に保つためのものであるから、据付や改修時等にガイドレール１０に対するかごの位置を固定するなど、他の用途に使用することはできなかった。
【課題を解決するための手段】
【０００４】
本発明は、ガイドレールと、このガイドレールに沿って昇降体を案内するローラガイドと、前記昇降体に設けられ前記昇降体と前記ガイドレールとの間隔を規制するストッパとを備えたものにおいて、前記ストッパは、前記ガイドレールの案内部に対向するように前記案内部の各面毎に設けられているとともに、前記昇降体と前記ガイドレールとの間隔を調節可能にしたものである。
また本発明は、前記ストッパは、前記ガイドレールの案内部の左右の面にそれぞれ対向するように設けられているものである。更に、前記ストッパの前記ガイドレールとの対向部には着脱可能なギブを有するものである。
【発明の効果】
【０００５】
本発明によれば、ガイドレールの案内部の各面とストッパとの間隔を、各ストッパ毎に調節することができる。また、ストッパを案内部に押し付けることにより、ガイドレールに対するかごの位置を固定することができるため、据付や改修等の作業が行いやすくなる。
【発明を実施するための最良の形態】
【０００６】
本発明の実施の形態を図１，図２により説明する。図１はかごの下部に設けられたローラガイドの正面図、図２は図１の平面図であり、図３，図４と同一符号は同一のものを示している。
図において、３０はローラ１ａ〜１ｃやローラガイド台２０などからなるローラガイド２３が固定された支持体、３１，３１ａは支持体３０に取り付けられた一対のストッパで、支持体３０に螺合されたボルト３２，３２ａと、このボルト３２，３２ａの頭部に着脱可能に取り付けたギブ３３，３３ａとからなっている。そして、ボルト３２，３２ａを回すことにより、ガイドレール１０の案内部１０ａとギブ３３，３３ａとの間隔をそれぞれ調節する。４１は非常時にかごを停止させる安全機４０のクランプで、このクランプ４０と案内部１０ａとの間隔β１，β２より、ストッパ３１，３１ａと案内部１０ａとの間隔α１，α２を小さく設定しておくことにより、かごへの偏荷重，振動等によるクランプ４１の案内部１０ａへの接触事故を防止することができる。
【０００７】
このように、本実施の形態によれば、案内部１０ａとストッパ３１，３１ａとの間隔を独立して調節することができる。またギブ３３，３３ａは着脱可能であるので、ギブ３３，３３ａが摩滅すれば交換できる。
尚、ギブ３３，３３ａの材料として、摩擦係数の低い材料を用いると、案内部１０ａとの接触時の接触音を低下させたり、接触時の傷の発生を減少させることができる。また、ギブ３３，３３ａとして硬度の高い材料を使用するとその摩耗量を減らすことができる。
更に、据付や改修時において、ストッパ３１，３１ａを案内部１０ａに押し付ければ、ガイドレール１０に対するかごの姿勢を維持することができるため、作業後にかご位置を再調整する必要がなくなり、作業時間を短縮することができる。
【図面の簡単な説明】
【０００８】
【図１】本発明の実施の形態を示す正面図である。
【図２】図１の平面図である。
【図３】従来のローラガイドを示す平面図である。
【図４】図３の平面図である。
【符号の説明】
【０００９】
１ａ，１ｂ，１ｃ  ローラ
１０  ガイドレール
１０ａ  ガイドレール１０の案内部
２３  ローラガイド
３０  支持体
３１，３１ａ  ストッパ
３２，３２ａ  ボルト
３３，３３ａ  ギブ
４０  安全機
４１  クランプ
【図１】
2006219278.tif 000003
【図２】
2006219278.tif 000004
【図３】
2006219278.tif 000005
【図４】
2006219278.tif 000006
(57)【要約】  【課題】クラッチの寿命の延長、さらにクラッチ故障時の継続運転を可能とする巻き取り方法および巻取装置を提供する。  【解決手段】クラッチを介して巻取ロールに駆動力を伝達し、該巻取ロールを用いてシートを巻き取るに際し、満巻き毎に該巻取ロールのクラッチを切り替える。巻取ロールおよび該巻取ロールに駆動力を伝達するクラッチを備えるシート巻取装置において、満巻き毎に該巻取ロールの駆動軸のクラッチを切り替える手段を有する。【選択図】図１
2006219237.tif 000002
【特許請求の範囲】
【請求項１】
クラッチを介して巻取ロールに駆動力を伝達し、該巻取ロールを用いてシートを巻き取るに際し、満巻き毎に該巻取ロールのクラッチを切り替えることを特徴とするシートの巻取方法。
【請求項２】
巻取ロールおよび該巻取ロールに駆動力を伝達するクラッチを備えるシート巻取装置において、満巻き毎に該巻取ロールの駆動軸のクラッチを切り替える手段を有することを特徴とするシート巻取装置。
【発明の詳細な説明】
【技術分野】
【０００１】
本発明は、シートの巻取方法およびシート巻取装置に関する。
【背景技術】
【０００２】
例えば、紙、フィルム、布などのシート体は、その製造工程で巻取軸に巻き取られてロール状に形成され、または逆に形成されたロールから引き出される。その際にシート体の弛みを防ぐために、摩耗クラッチを介して、巻取軸に動力を伝達することが一般的である（例えば、特許文献１）。
【０００３】
この摩擦クラッチには２枚のディスクの接触を利用したもの、励磁によるパウダーの固化を利用したもの等が使用される。この場合、巻き取り中において、摩耗クラッチは常に励磁された状態であるため、ディスク、またはパウダーの劣化によるクラッチの寿命による停機、及びクラッチの定期交換が必要である。
【特許文献１】特開２００２−２５５４０７号公報
【発明の開示】
【発明が解決しようとする課題】
【０００４】
本発明は上記した従来のクラッチ寿命を改善することを課題とする。
【課題を解決するための手段】
【０００５】
前記課題を解決するため、本発明のシートの巻取方法は次の構成を有する。
【０００６】
すなわち、クラッチを介して巻取ロールに駆動力を伝達し、該巻取ロールを用いてシートを巻き取るに際し、満巻き毎に該巻取ロールのクラッチを切り替えるシートの巻取方法である。
【０００７】
また、本発明のシート巻取装置は次の構成を有する。
【０００８】
すなわち、巻取ロールおよび該巻取ロールに駆動力を伝達するクラッチを備えるシート巻取装置において、満巻き毎に該巻取ロールの駆動軸のクラッチを切り替える手段を有するシート巻取装置である。
【発明の効果】
【０００９】
本発明によれば、一つの巻取ロールに対して２つ以上のクラッチを備え、クラッチを切り替えて使用することにより、クラッチ一つあたりの総駆動時間が減少させることでクラッチ寿命を延長することが可能である。従って、連続運転をしている装置の定期整備期間の延長が可能となる。
【００１０】
また、従来の方式ではクラッチの故障により、装置の運転を停止する必要があったが、一つの巻取ロールに対して、複数のクラッチを有することから、クラッチの故障時も運転を継続することが可能である。
【発明を実施するための最良の形態】
【００１１】
図１は、一つの巻取ロールに対して、二つのクラッチを有する本発明の一実施態様を示す概略断面説明図である。
巻取軸５は、ベルト１１により、クラッチ４、クラッチ９の二つの摩擦クラッチと連結している。これらの摩擦クラッチには励磁式パウダークラッチや、ディスク式の摩擦クラッチが用いられており、モーター８ともベルトにより連結していることから、クラッチ４、クラッチ９のうち片方の摩擦クラッチを滑らせることによる巻取軸５のテンション調整により、シートを弛まず巻き取ることが可能である。
つまり、前の工程から流れてきた紙、フィルム、布などのシート体であるシート１は、ガイドロール２を経由し、巻取軸５によりパッケージ３として巻き取られる。このとき駆動モーター８の駆動力を一定とし、クラッチ４またはクラッチ９のうち片方の駆動伝達力をパッケージ３の径に従い調整することで、パッケージ３の巻径によらずシートのテンションを一定で巻き取ることが可能である。その際、モーター８の駆動力伝達経路として、初めはクラッチ４を使用し、クラッチ９は励磁せず開放状態とする。次に、巻取ロール５が満巻きの状態になった後にターレットを行い、軸５と軸７の位置を入れ替え、軸７で巻き取る状態に変更する。このとき軸５のロールは空に入れ替える。
【００１２】
図２は、図１をターレットした後の概略断面説明図である。
【００１３】
このとき駆動モーター８の駆動力伝達経路はクラッチ６を使用し、クラッチ１０は励磁せず開放の状態とする。次に、巻取ロール７が満巻きとなった後に再度ターレットを行い、軸５と軸７の位置を入れ替え、軸５で巻き取る状態に変更する。このときモーター８の駆動伝達経路としてクラッチ９を使用し、クラッチ４は開放の状態とする。
【００１４】
以上のように、クラッチを４→６→９→１０→４→６→９→１０→４→・・・と交互に切り替えて使用する制御方式によってシートの巻き取りを行う。
【産業上の利用可能性】
【００１５】
本発明は、シートの巻き取りおよび巻き出し装置に用いることができるが、その応用範囲はこれらに限られるものではない。
【図面の簡単な説明】
【００１６】
【図１】一つの巻取ロールに対して、二つのクラッチを有する本発明の一実施態様を説明する概略断面図である。
【図２】図１の装置がターレットにより巻取ロールが入れ替わった状態を説明する概略断面図である。
【符号の説明】
【００１７】
１    シート
２    ガイドロール
３    巻取パッケージ
４    クラッチ１
５    巻取ロール１
６    クラッチ２
７    巻取ロール２
８    駆動モーター
９    クラッチ３
１０  クラッチ４
１１  ベルト
【図１】
2006219237.tif 000003
【図２】
2006219237.tif 000004
(57)【要約】      （修正有）【課題】種々のポリフェノール類やビタミン類、アミノ酸類の相乗効果により病気予防及び病気治療、健康増進効果、及び脳機能改善効果が期待できる組成物の提供。【解決手段】マイナスイオン化酸素を混入した天然温泉水で促成巨大養殖したスッポンを練炭を使った特殊釜で蒸し焼きにして粉末にしてその粉末に乾燥ニンニクの粉末と酒粕粉末と蜂蜜とミルクとココア粉末と玉葱成分抽出液とロイヤルゼリー粉末を適度の濃度（目的効用により濃度を変化させる）で混ぜて酒粕と蜂蜜とミルクとココア粉末と玉葱成分抽出液を適度の濃度で混ぜて得られる組成物。【選択図】なし【特許請求の範囲】
【請求項１】
１、マイナスイオン化酸素を混入した天然温泉水で促成巨大養殖したスッポンを練炭を使った特殊釜で蒸し焼きにして粉末にします。その粉末に乾燥ニンニクの粉末と酒粕粉末と蜂蜜とミルクとココア粉末と玉葱成分抽出液とロイヤルゼリー粉末を混ぜて
「活性酸素除去効果、癌予防効果、癌治療効果、ボケ予防効果、ボケ治療効果、記憶力増大効果、脳機能活性効果、脳血栓治療効果、脳血栓予防効果、血流増大効果、体力回復効果、体力増強効果」を高めた丸薬（食品）に対して特許を請求します。
【発明の詳細な説明】
【技術分野】「栄養効果、病気予防効果、病気治療効果、健康増進効果、血流増大効果、脳機能活性効果の高い食品の開発」
「背景技術」
２、「マイナスイオン化酸素を混入した天然温泉水で促成巨大養殖したスッポンを練炭を使った特殊釜で蒸し焼きにして、その粉末に乾燥ニンニクの粉末と酒粕粉末と蜂蜜とミルクとココア粉末と玉葱成分抽出液とロイヤルゼリー粉末を混ぜる事により
高度の相乗効果により病気予防効果及び病気治療効果及び健康増進効果及び脳機能活性化効果が期待出来る」
「発明の開示」発明が開示しようとする課題」「０００３」
３、「マイナスイオン化酸素を混入した天然温泉水で促成巨大養殖したスッポンを練炭を使った特殊釜で蒸し焼きにして粉末にしてその粉末に乾燥ニンニクの粉末と酒粕粉末と蜂蜜とミルクとココア粉末と玉葱成分抽出液とロイヤルゼリー粉末を混ぜる事により
種々のポリフェノール類やビタミン類アミノ酸類の相乗的働きが期待出来る為相乗効果で病気予防効果及び病気治療効果及び健康増進効果及び脳機能活性化効果が期待出来る」
「課第を解決する為の手段」
「マイナスイオン化酸素を混入した天然温泉水で促成巨大養殖したスッポンを練炭を使った特殊釜で蒸し焼きにして粉末にしてその粉末に乾燥ニンニクの粉末と酒粕粉末と蜂蜜とミルクとココア粉末と玉葱成分抽出液とロイヤルゼリー粉末を適度の濃度（目的効用により濃度を変化させる）で混ぜて
病気予防効果及び病気治療効果及び健康増進効果及び脳機能活性化効果が期待出来る相乗効果を生み出す」
「実施例」
「産業上の利用可能性」
新しい健康機能食品の作成
(57)【要約】 【課題】  フリュームの水路の低流速域に淀みを生じさせることにより、複雑な植生器材を組み付けることなく、水生生物の住環境に優しいフリュームを提供すること。【解決手段】  縦断面Ｕ字状のフリューム本体１において、底面５から所要高さの両側壁２の内面に、該底面５に平行に突出する仕切り盤３を横設する。  また、このほか、前記底面５に、両仕切り盤３の突端相互間の寸法より短尺幅で所要長さの浸透口６を長手方向に所要数開口する。【選択図】図１
2006219861.tif 000002
【特許請求の範囲】
【請求項１】
縦断面Ｕ字状のフリューム本体において、底面から所要高さの両側壁内面に、該底面に平行に突出する仕切り盤を横設することにより水路の低流速域に淀みを生ずるようにしたことを特徴とするフリューム。
【請求項２】
前記底面に、両仕切り盤の突端相互間の寸法より短尺幅で所要長さの浸透口を長手方向に所要数開口して成る請求項１記載のフリューム。
【発明の詳細な説明】
【技術分野】
【０００１】
本発明は、用水路や排水路の構築に使用するフリューム（水路式側溝）に関する。
【背景技術】
【０００２】
水生生物の住環境を水路内に形成する発明は特開平９−２５０１１９号公報（特許文献１）に開示され、Ｕ字溝の底部片側に側方へ突出するように補助導水溝を設けた流雪融雪溢水防止溝は特開平６−１７３３２９号公報（特許文献２）に開示されている。前者の特許文献１に開示された水生生物の住環境に関する技術は、当初からコンクリートブロックの水路に流水の妨げとなる支持材や植生器材を充填して水制部を形成するため、水路に流入する土砂や草などが詰まり易く、その清掃排除作業が煩雑となる。後者の特許文献２のものは、流雪融雪用の補助導水溝としては有効と思われるが、用水路や排水路として使用した場合は、底部片側から土砂が堆積して不均衡な堆積層が形成され水生植物の活着が悪い。
【特許文献１】特開平９−２５０１１９号公報
【特許文献２】特開平６−１７３３２９号公報
【発明の開示】
【発明が解決しようとする課題】
【０００３】
本発明は上記に鑑みフリューム本体の水路の低流速域に淀みを形成させ同流域に土砂を堆積させるフリュームを提供しようとする。
【課題を解決するための手段】
【０００４】
上記課題を解決する本発明の請求項１に記載したフリュームは、縦断面Ｕ字状のフリューム本体において、底面から所要高さの両側壁内面に該底面に平行に突出する仕切り盤を横設し低流速域中に淀みを形成させて成る。
請求項２に記載した発明は請求項１に記載したフリュームにおいて、前記底面に、両仕切り盤の突端相互間の寸法より短尺幅で所要長さの浸透口を長手方向に開口して成る。
【発明の効果】
【０００５】
本発明のフリュームによれば、低流速域の底面近くの左右の仕切り盤により底面上に淀みが形成され、流水の圧力水頭によって左右の仕切り盤の下方へ土砂が押しやられ、徐々に土砂が堆積する。その間に水草などが活着し水生昆虫や小魚などの水生生物が住みつくもので、自然環境と調和した水路を形成できる効果がある。底面に仕切り盤の突端相互間の寸法より短尺幅の浸透口を開口したものでは、底面左右の淀みを安定に形成しつつ地下水涵養に役立つものである。
【発明を実施するための最良の形態】
【０００６】
フリューム本体の両側壁内面に横設する仕切り盤の位置は、フリューム本体に流入する水量の最大水深Ｈの平均流速の発現位置（底面から略0.4H）に設けるものから、使用目的に応じて流速を遅くして土砂等を積極的に沈殿させる水路に用いる場合は、それより高い位置に設ける。その場合、水底近くの流速は遅いから仕切り盤と底面間は淀みとなって小魚の住環境に適したものとなる。
【実施例】
【０００７】
本発明を実施例により説明すると、図１に示すように、縦断面Ｕ字状で所要長さのフリューム本体１の両側壁２の内面には、その内幅（水路幅Ｗ）の略４分の１（Ｗ/4）の寸法の仕切り盤３を、流入する水量の最大水深Ｈの平均流速の発現位置（底面５から略0.4H）に設けている。さらに、両側壁２には上下方向に二段に渡り長手方向に導水孔４を開口してフィルター（図外）を介して地表近傍の浸透水を導水してその水位を低下させるとともに、底面５には両仕切り盤３の突端間の寸法より短尺幅で所要長さの浸透口６を長手方向に２個所開口して成る。
【０００８】
このようにして成るフリュームＡは、図２に示すように用水路や排水路の構築に使用され、左右の仕切り盤３と底面５との間に淀み７が形成されるとともに、徐々に堆積した土砂が底面全域に及んで堆積層８が形成され、水草９が活着して昆虫や小魚などの住環境が形成される。
両仕切り盤３より上方は平均流速より速い水流の水路となって用水の供給や排水に供される。
さらに、図２に示す仕切り盤３と底面５間を通水断面として考えず最大通水深さｈを通水断面とし、同断面に土砂が堆積した場合には仕切り盤３を支点にして排土作業が容易にできる。
【産業上の利用可能性】
【０００９】
本発明は、用水路や排水路において、簡易構造で水生生物の住環境に適した水路を提供できるから、自然に調和したコンクリートブロック製品として水路構築に貢献する。
【図面の簡単な説明】
【００１０】
【図１】本発明のフリュームＡの一部破断した斜視図。
【図２】フリュームＡの使用状態の縦断説明図。
【符号の説明】
【００１１】
１：フリューム本体
２：側壁
３：仕切り盤
４：導水孔
５：底面
６：浸透口
７：淀み
８：堆積層
９：水草
Ｈ：最大水深
Ｗ：水路幅
Ａ：フリューム
【図１】
2006219861.tif 000003
【図２】
2006219861.tif 000004
(57)【要約】【課題】  この発明は、工事現場、清掃現場等において用いられる標識装置に関し、特に同一の標識支持体を取り替えて装着することができるようにしたものである。【解決手段】  この発明に係る標識装置は前記の課題を解決するために標識支持体にフレキシブルな素材で形成した標識表示体を着脱自在に取り付けたものである。【選択図】  図１
2006219816.tif 000002
【特許請求の範囲】
【請求項１】
標識支持体にフレキシブルな素材で形成した標識体を着脱自在に取り付けたことを特徴とする標識装置。
【発明の詳細な説明】
【技術分野】
【０００１】
この発明は、工事現場、清掃現場等において用いられる標識装置に関し、特に同一の標識支持体を取り替えて装着することができるようにしたものである。
【背景技術】
【０００２】
従来から工事現場や清掃現場内えの立入を防止したり迂回通路に導く等どの表示をするために標識を立てることがある。
【０００３】
ところで従来の標識は、例えば、図乃至図６に示すように外面に例えば「ＣＡＵＴＩＯＮ」、「ＷＥＴ  ＦＬＯＯＲ」等の警告文又は図を表示したプラスチック製の板体を二つ折したもの、三角錐又は四角錐に形成したものであって、その外壁に警告文字又は警告図を表示してあった。
【発明の開示】
【発明が解決しようとする課題】
【０００４】
しかし従来のように表示されている警告文又は警告図は、標識体別にそれぞれ表示してあったので、複数の異なる標識体を用意しなければならず、現場ごとに複数所持しているものから選択せざるを得ず、また管理状、保管スペースを広く設ける必要があった。
【課題を解決するための手段】
【０００５】
そこでこの発明に係る標識装置は前記の課題を解決するために標識支持体にフレキシブルな素材で形成した標識表示体を着脱自在に取り付けたものである。
【発明の効果】
【０００６】
前記のようにこの発明に係る標識装置にあっては、従来用いていたスタンド式（標識支持体）のものを標識には警告文又は警告図を表示することをせず、すなわち無印とし標識支持体にフレキシブルな素材で形成した標識体を着脱自在に取り付けたけてあるので、前記スタンドに必要とする標識本体を被せるように取り付けることができ、その結果、スタンドにはに警告文又は警告図を表示したフレキシブルなシートを装着すればよいという効果を有するのである。
【発明を実施するための最良の形態】
【０００７】
この発明は、フレキシブルな素材で形成した標識本体としてあることによって、折畳が如何様にもでき、またこれを標識支持体に被せることができ、持ち運び及び保管が自在となることとが最も主要な特徴とする。
【実施例１】
【０００８】
次にこの発明に係る標識装置の実施例を図面１乃至図３に基づいて述べると、１は標識支持体であり、２はフレキシブルな素材で形成した標識体である。
【０００９】
ここにおいて前記標識支持体１はプラスチック製、木製又は金属製等の比較的硬質の材料を用いた素材で前記した従来例に示したような二つ折にした状態又は三角錐又は四角錘状に形成してある。しかし、この標識支持体１には、前記した従来例におけるような警告文又は警告図を表示していない。
【００１０】
一方、標識体２はフレシシブルな素材で形成すると雨等への対抗性を考慮すると、合成樹脂製シート又は布製のものが好ましい。
【００１１】
またこの標識体２は、前記した標識支持体１の外表を覆うことができるように形成されている。すなわち、前記二つ折状、三角錐又は四角錐に形成した標識支持体１の外表面に被覆するように標識体２を取り付けるのである。
【００１２】
なお、標識体２には危険回避情報として従来から一般に用いれらている各種の警告文又は／及び警告図を表示しておくものとする。
【産業上の利用可能性】
【００１３】
前記のようにこの発明に係る標識装置にあっては、従来において標識支持体状のものにフレキシブルに形成した標識体を装着することができ、スタンドとして使用する標識支持体１個に対し、所望する警告文又は警告図を表示した標識支持体を複数種類替えて使用することができるのである。
【図面の簡単な説明】
【００１４】
【図１】この発明に係る標識装置の一実施例を示す斜視図である。
【図２】この発明に係る標識体を標識支持体に被せつつある状態を示す斜視図である。
【図３】この発明に係る標識体を標識支持体に被せつつある状態の他例を示す斜視図である。
【図４】従来例の他例を示す斜視図である
【図５】従来例の他例を示す斜視図である
【図６】従来例を他例示す斜視図である
【符号の説明】
【００１５】
１  標識支持体
２  標識体
【図１】
2006219816.tif 000003
【図２】
2006219816.tif 000004
【図３】
2006219816.tif 000005
【図４】
2006219816.tif 000006
【図５】
2006219816.tif 000007
【図６】
2006219816.tif 000008
(57)【要約】【課題】和服用帯の長さを最大限生かす装着方法に、折り畳む方法があるが、帯本体を結ぶ又は捻らず、帯枕の紐と帯締めを結ぶだけで装着するため、帯が緩んだり帯の重みで下がる等の不具合が生じ装着者にとっては非常に心地悪いのである。【解決手段】解決手段として、本発明は筒状の紐に硬くて軽い棒状の物を内蔵し、其の両端を縫い合わせ１方の端を折り曲げ、他方の紐が通る位置に縫い合わせた和服用帯補助紐を２本１組として和服用帯装着時に使用する。【特許請求の範囲】
【請求項１】
筒状の紐に硬くて軽い棒状の物を内蔵し、其の両端を縫い合わせ、縫い合わせた紐の１方を折り曲げ、他方の紐が通る位置に縫い合わせた物を、和服用帯の太鼓部と胴部の境に出来る３角形の中心に１本と折り返した胴部に１本挿入し、それぞれ帯を挟んで紐通し他方のに紐を通し互いを交差させ胴部の前面で紐を結び合わせる和服用帯補助紐。
【発明の詳細な説明】
【技術分野】
【０００１】本発明は和服用帯に係り、初心者にあっても簡便に心地よく和服用帯を装着するための和服用帯補助紐に関する。
【背景技術】
【０００２】和服用帯は通常、手先部と胴部を帯幅の約半分に折り、手先部を残し、胴部に２回巻いた後、背側で結ぶ又は捻り、和服用帯の全幅部分で太鼓部を形成し、太鼓部内側に手先部を挿入し、さらに帯び枕・帯揚げ・帯締めを挿入しそれぞれ胴部前面に結び合わせて和服用帯結びが完成する。【０００３】身に纏いながら背後での和服用帯結びは熟練が必要なため初心者には介添えが必要となる。【０００４】ほとんどの和服用帯の長さが１定であり、年代の古い和服用帯はさらに短い場合が多く観られる。そのため体格肥痩により太鼓や胴部前面にある柄ゆきを良い位置に出すことが困難になり或は、和服用帯が短くて装着できない等の不具合が生じる。
【発明の開示】
【発明が解決しようとする課題】
【０００５】和服用帯の長さを最大限生かす装着方法に、折り畳む方法があるが、帯本体を結ぶ又は捻らず、帯枕の紐と帯締めを結ぶだけで装着するため、帯が緩んだり帯の重みで下がる等の不具合が生じ装着者にとっては非常に心地悪いのである。
【課題を解決するための手段】
【０００６】上記従来の技術が有する問題点を解決する手段として、本発明は筒状の紐に硬くて軽い棒状の物を内蔵し、其の両端を縫い合わせ１方の端を折り曲げ、他方の紐が通る位置に縫い合わせた和服用帯補助紐を２本１組として和服用帯装着時に使用する。【０００７】予め装着用に折り畳んだ和服用帯の太鼓部背中側に位置する全幅部と半幅部の境に出来る３角形の中心に１カ所と胴部の折り返し部に１カ所の計２カ所に本発明の紐通し部を下に位置するように設置し帯を挟む状態で紐通し部に紐を通し、胴部を装着者の胴部に巻き背中側で交差させ、胴部前面で本発明の和服用帯補助紐を結び合わせる。
【発明の効果】
【０００８】本発明は和服用帯を装着前に形成し、装着するのを補助するので自在に形成でき、装着が簡単なので時間を短縮し初心者であっても介添え者を必要としない。【０００９】和服用帯の素材によって従来の帯結びでは、重なり合った布が滑ることにより装着のための帯結びが緩むことがあるが本発明の和服用帯補助紐を結ぶことにより緩むのを防ぐことが出来る。【００１０】装着者の肥満やその他の事情で、手が後ろに廻しにくくなるなどの理由で、高価な和服用帯を切断し、２部式と呼ばれる形式の帯に作り替えられる場合があるが、費用がかかり個別に実施する必要があるのに対し、本発明は２部式帯と同じような効果が得られるにもかかわらず、和服用帯を切断したり、縫い合わせる必要がないので、１組でどの和服用帯にも対応することが出来るので非常に安価である。
【発明を実施するための最良の形態】
【００１１】和服用帯を折り畳む装着方法の状態にしておく。
【実施例】
【００１２】和服用名古屋帯を展開すると、全幅部と全幅部から直角にのびる半幅部からなる。全幅部は太鼓を作り、半幅部は胴部と手先部を作る。【００１３】表を上にした状態で半幅部は全幅部対し直角に左側に位置するように設置する。表向けに設置した帯の全幅部を太鼓に折る、クリップ等の挟み具で形を整えておきたい所に仮止めし、太鼓の山に平行して半幅部全体を内側に折り、裏返しておく。【００１４】全幅部と半幅部の境に出来た３角形の中心で半幅部と重なり合った位置に本発明の和服用帯補助紐の紐通し部を、半幅の輪さ部分に設置し紐通しに他方の紐を通し緩まないように絞っておく。【００１５】半幅部の端を太鼓部の左側から通し手先部を作り仮止めをし直しておき、２つに折れた半幅部分の折り山部の内側に本発明の和服用帯補助紐の紐通し部を輪さ部に設置し他方の紐を通し、緩まないように絞っておく。【００１６】太鼓山の内側に帯揚げで包んだ帯枕を設置する。【００１７】装着するのである。太鼓部を背に設置し其の内側に半幅部に設置した本発明の和服用帯補助紐をしっかりと収め、太鼓部に設置した本発明の紐と交差させ胴部前面で結び合わせ、帯枕の紐を前面で結び、帯揚げを整え、太鼓部に帯締めを通し前面で結び、仮止めの挟み具を外すと、誰にでも簡単に、初心者であっても介添え者なしに帯装着ができる。
【産業上の利用可能性】
【００１８】和服用帯の袋帯・名古屋帯・洒落袋帯・等に利用可。
(57)【要約】【課題】点滴時に快適に使用できるシャツを提供する。【解決手段】シャツの一方の袖側面において、袖口から身頃に向かうスライドファスナーを設け、袖上面適所に面ファスナーを設け、袖内面上部に、面ファスナーを有する係止片の一端を取り付けたことを特徴とする。【選択図】      図８
2006219803.tif 000002
【特許請求の範囲】
【請求項１】
シャツの一方の袖側面において、袖口から身頃に向かうスライドファスナーを設けたことを特徴とする点滴用シャツ。
【請求項２】
シャツの一方の袖側面において、袖口から身頃に向かうスライドファスナーを設け、袖上面適所に面ファスナーを設け、袖内面上部に、面ファスナーを有する係止片の一端を取り付けたことを特徴とする点滴用シャツ。
【請求項３】
スライドファスナーに代えてスナップを用いてなる請求項２記載の点滴用シャツ。
【請求項４】
面ファスナーに代えてスナップを用いてなる請求項２または３記載の点滴用シャツ。
【請求項５】
係止片をゴムベルトにて形成してなる請求項２〜４のいずれかの項に記載の点滴用シャツ。
【発明の詳細な説明】
【技術分野】
【０００１】  この発明は、点滴を受けるときに患者が着用する点滴用のシャツに関する。
【背景技術】
【０００２】  従来より、透析その他の理由で点滴を受けるときは、点滴個所露出のために下着を脱ぐか袖をたくし上げるかして腕を露出させて行う場合が大半であり、本発明にて示すように、点滴時に使用して便利なる構造を有するシャツは見当たらない。
【発明の開示】
【発明が解決しようとする課題】
【０００３】  従来より、患者に対する処方の一つに点滴がある。これは点滴液を貯留した容器を上方に位置させ、この容器下方に適宜長の軟質管体を接続し、該管体他端に針状細管を接続してこの細管を患者身体の血管に挿入することにより、適量の点滴液を血管内に移送させるものである。通常は患者の腕に移送するため、上着を脱いでシャツなどの下着を脱ぐかあるいは袖をたくし上げるなどして必要個所を露出させ、この露出した部分の選択個所に針状細管を挿入することにより行われる。
この場合において、下着を脱ぐ行為は煩わしく、袖をたくし上げると腕の先端部と後方部ではその太さが異なるため、袖口部分が腕を圧迫して血行を阻害する恐れがあり、たとえば透析など長時間にわたる点滴では患者に不快感を与えることになる。
本発明は、以上のような点滴に関わる課題を解決するために発明されたもので、点滴時に使用して便利なる新規な物品を提供することを目的としたものである。
【課題を解決するための手段】
【０００４】  課題を解決する手段として本発明は、シャツの袖口にスライドファスナーを設け、あるいはそれに加えて袖上部に面ファスナー、袖内部に係止片を各々設けてその主要部を構成した。すなわち、シャツの一方の袖側面において、袖口から身頃に向かうスライドファスナーを設ける。あるいはそれに加えて袖上面適所に面ファスナーを設け、袖内面上部に、面ファスナーを有する係止片の一端を取り付ける。本発明は以上の構成よりなる点滴用シャツである。なお、後述の実施形態にて示すように、スナップやゴムベルトを用いた構成とすることもできる。
【発明の効果】
【０００５】  本発明によれば、袖口を容易に開いてたくし上げることができ、またこのたくし上げた部分を面ファスナーにより袖上部に係止することができるため、従来のようにシャツを脱いだり袖口をそのままたくし上げる必要のない、点滴時に便利なるシャツを提供することができる。
また、腕への圧迫もないため、長時間快適に使用することができる。
【発明を実施するための最良の形態】
【０００６】  以下、本発明の実施形態について説明する。
図において、１はスライドファスナーで、シャツの一方の袖下部に設けられ、袖口から身頃に向かって袖の中程までの長さである。２は帯体で、細長の小布片であり、スライドファスナーと近似の長さを有している。３は面ファスナーで、小四角形であって帯体の一方の端部近傍に縫着される。以上の帯体と面ファスナーにて係止片４が形成される。
この係止片は図２および図６にて示すように面ファスナーを上向きにして面ファスナーと反対側の帯体端部が袖内面上部の身頃近接位置に縫着される。５は面ファスナーで、前記の面ファスナーと同サイズであり、シャツの身頃の上部適所に縫着される。
本発明を使用するには、まず着用したシャツのスライドファスナーを開いて腕の上方へたくし上げる。次ぎに、このシャツの袖内に指を差し入れて係止片端部をつまみ、引き出して袖上方へと移動させて互いの面ファスナーを係止させる。この係止にてたくし上げている部分は帯体にて保持されるため、腕の必要部分が露出されて点滴に適した状態が維持される。点滴終了後は面ファスナーの係止を解除し、たくし上げている袖を下ろしてスライドファスナーを閉じて初期状態へと戻すことができる。【０００７】  以上、本発明について説明したが、本発明は点滴のためにたくし上げた袖の保持が可能なところにその特徴がある。従来は下着を脱ぐかまたは袖口を腕に沿ってずり上げる手段しかなく、前者はその行為が煩わしく、後者は既述のように腕への圧迫感があって患者への不快感を与えるものであったが、本発明ではこれらの欠点が解決されており、快適な使用が可能となったのである。なお、袖口にスライドファスナーを設けただけの構成も可能であるが、この場合はこのファスナーにて開かれた袖が腕から垂れ下がった状態での使用となる。
なお、既述の例では袖口にスライドファスナーを設けたが、スナップ係止にて袖口の開閉を行うよう構成することもでき、あるいはボタン止めとしてもよい。また、面ファスナーに代えてスナップやボタンによる係止としてもよい。帯体は小布片にて形成したが、これを伸縮可能なゴムベルトにて形成してもよく、この場合は係止片不使用時はその長さは使用時に比べて短くすることができる。
以上のごとく、本発明にて長時間の点滴時においても快適に使用することのできる点滴用のシャツを得ることができる。
【図面の簡単な説明】
【０００８】
【図１】  本発明の第一実施形態の背面図（一部略）
【図２】  本発明の第二実施形態の背面図（一部略）
【図３】  本発明の第二実施形態の正面図（一部略）
【図４】  本発明の係止片の平面図
【図５】  本発明の係止片の正面図
【図６】  本発明の係止片取り付け状態説明図
【図７】  本発明の着用状態説明図（スライドファスナー開時）
【図８】  本発明の第二実施形態における使用説明図
【符号の説明】
【０００９】１  スライドファスナー
２  帯体
３  面ファスナー
４  係止片
５  面ファスナー
６  縫着部
７  身頃
８  袖
９  袖口
【図１】
2006219803.tif 000003
【図２】
2006219803.tif 000004
【図３】
2006219803.tif 000005
【図４】
2006219803.tif 000006
【図５】
2006219803.tif 000007
【図６】
2006219803.tif 000008
【図７】
2006219803.tif 000009
【図８】
2006219803.tif 000010
(57)【要約】【課題】膝頭だけのサポ−タ−にして、圧迫感とずれ落ちをなくした、膝サポ−タ−を提供する。【解決手段】膝頭から膝裏にかけて斜めにカットして、ゴム通しを設けて細いゴムを通すことにより圧迫感をなくし、ずれ落ちを防いだのを特徴とする膝サポ−タ−。【選択図】図１
2006219802.tif 000002
【特許請求の範囲】
【請求項１】
膝頭から膝裏にかけて、上下を斜めにカットしゴム通しを設けた、膝頭だけの膝サポ−タ−。
【発明の詳細な説明】
【技術の分野】
【０００１】この発明は膝頭から膝裏にかけて上下を斜めにカットし、ゴム通しを設けた、膝頭だけの膝頭サポ−タ−に関するものである。
【背景の技術】
【０００２】従来の膝サポ−タ−はどれも筒状になっていて、きついと履きにくく、屈伸が出来にくかった。
【発明開示】
【発明が解決しょうとする課題】
【０００３】筒状の膝サポ−タ−は上部太腿の位置と膝裏の部分に圧迫を感じていた。本発明はこれらの欠点を解決するためになされたものである。
【課題を解決するための手段】
【０００４】膝頭から膝裏にかけて、上下を斜めにカットしたサポ−タ−に、ゴム通しを設け細いゴムを通し、圧迫感をなくし、又ずり落ちることを防いだ膝頭だけの膝サポ−タ−。
【発明の効果】
【０００５】膝頭から膝裏にかけて、上下を斜めにカットし、細いゴムを入れることにより、履きやすく、ずり落ちなくて、屈伸が自由に出来て正座することも出来る。
【発明を実施するための最良の形態】
【０００６】この発明の実施の形態について説明する。膝頭から膝裏にかけて、上下斜めにカットしたサポ−タ−（１）にゴム通し（２）を設けてゴムの入替えが出来るようにゴム穴（３）を設け圧迫感をなくして、ずれ落ちを防いだのを特徴とする。
【実施例】
【０００７】図３に示すように、膝頭から膝裏にかけて上下斜めにカットしたサポ−タ−（１）にゴム通し（２）を設け、ゴムの入替えが出来るようにゴム穴（３）を設けて、膝頭だけのサポ−タ−にして、圧迫感をなくして、ずれ落ちを防いだのを特徴とする。
【図面の簡単な説明】
【０００８】
【図１】  本発明の正面図
【図２】  本発明の側面図
【図３】  本発明の使用している時の側面図
【符号の説明】
【０００９】  １・膝サポ−タ−
２・ゴム通し
３・ゴム穴
【図１】
2006219802.tif 000003
【図２】
2006219802.tif 000004
【図３】
2006219802.tif 000005